(57)【要約】【課題】給油後の燃焼再開までの待ち時間を短縮した気化式燃焼装置を提供する。【解決手段】燃油を気化させる加熱ヒーター８を備えた気化部９と、燃油切れによる自動消火後に燃油の補給意思を検知する意思検知手段２４と、前記加熱ヒーター８を燃焼前に通電して気化部９を予熱する制御装置３を備えたもので、前記意思検知手段２４が燃油補給の意思を検知することで、制御装置３に加熱ヒーター８を所定時間通電させて気化部９を予熱するので、給油の意思があることを検知して、給油中に気化部を予熱しておくことにより、燃油の補給が終了して運転スイッチを入れることで、直ぐに燃焼が開始されるものであり、給油後に予熱をして燃焼が開始されるまで待つ必要がなく、極めて便利であり、特に忙しい朝や帰宅直後では直ぐに暖が得られて使用勝手が良いものである。【選択図】図５
2008241222.tif 000002
【特許請求の範囲】
【請求項１】
燃油を気化させる加熱ヒーターを備えた気化部と、燃油切れによる自動消火後に燃油の補給意思を検知する意思検知手段と、前記加熱ヒーターを燃焼前に通電して気化部を予熱する制御装置を備えたものに於いて、前記意思検知手段が燃油補給の意思を検知することで、制御装置に加熱ヒーターを所定時間通電させて気化部を予熱する事を特徴とする気化式燃焼装置。
【請求項２】
前記意思検知手段は、燃油切れによる自動消火後の給油タンクの抜き取りを検知する事を特徴とする請求項１記載の気化式燃焼装置。
【請求項３】
前記意思検知手段は、燃油切れによる自動消火後のタンク室蓋の開成を検知する事を特徴とする請求項１記載の気化式燃焼装置。
【請求項４】
前記意思検知手段は、燃油切れによる自動消火後の固定タンクの給油キャップの取り外しを検知する事を特徴とする請求項１記載の気化式燃焼装置。
【発明の詳細な説明】
【技術分野】
【０００１】
この発明は燃油を気化して燃焼させる気化式の燃焼装置に関するものである。
【背景技術】
【０００２】
ところで従来よりこの種の燃焼装置では、燃油量が所定量以下に低下すると、警報を発すると共に、燃焼部の燃焼を自動的に停止させて、電磁ポンプの空打ちや燃油経路へのエアーがみを防止しようとするものであった。（例えば、特許文献１参照）
【特許文献１】実用新案登録第２５８８１６９号公報
【発明の開示】
【発明が解決しようとする課題】
【０００３】
しかし、この従来のものでは、燃油補給後に燃焼を再開させても直ぐには再着火されず、気化部が気化可能温度まで加熱されるまで待たなければならず、忙しい朝や帰宅直後では特に煩わしいものであった。
【課題を解決するための手段】
【０００４】
そこで、この発明は上記欠点を解決するため、特にその構成を、燃油を気化させる加熱ヒーターを備えた気化部と、燃油切れによる自動消火後に燃油の補給意思を検知する意思検知手段と、前記加熱ヒーターを燃焼前に通電して気化部を予熱する制御装置を備えたものに於いて、前記意思検知手段が燃油補給の意思を検知することで、制御装置に加熱ヒーターを所定時間通電させて気化部を予熱するようにしたものである。
【０００５】
また、前記意思検知手段は、燃油切れによる自動消火後の給油タンクの抜き取りを検知する事としたものである。
【０００６】
また、前記意思検知手段は、燃油切れによる自動消火後のタンク室蓋の開成を検知する事としたものである。  
【０００７】
前記意思検知手段は、燃油切れによる自動消火後の固定タンクの給油キャップの取り外しを検知する事としたものである。
【発明の効果】
【０００８】
以上のように、この発明によれば、給油の意思があることを検知して、給油中に気化部を予熱しておくことにより、燃油の補給が終了して運転スイッチを入れることで、直ぐに燃焼が開始されるものであり、給油後に予熱をして燃焼が開始されるまで待つ必要がなく、極めて便利であり、特に忙しい朝や帰宅直後では直ぐに暖が得られて使用勝手が良いものである。
【０００９】
更に、前記意思検知手段は、燃油切れによる自動消火後の給油タンクの抜き取りを検知する事にすれば、より的確に給油補給の意思を検知出来、予熱しておくことで直ぐに燃焼が可能で使用勝手が良いものである。
【００１０】
更に、前記意思検知手段は、燃油切れによる自動消火後のタンク室蓋の開成を検知する事にすれば、燃油の補給の為に、タンク室蓋を開けることを給油の意思として捉えれば、確実な給油の意思が判断出来、無駄な予熱をする心配が無く安心して使用出来るものである。
【００１１】
更に、前記意思検知手段は、燃油切れによる自動消火後の固定タンクの給油キャップの取り外しを検知する事にすれば、固定タンク方式の燃焼装置でも利用することが出来、利用範囲の拡大が図れるものである。
【発明を実施するための最良の形態】
【００１２】
次に、この発明の一実施形態を図面に基づいて説明する。
１は屋内に設置される気化式燃焼装置を構成するファンヒータ本体で、本体１内部に燃焼用の気化バーナ２と、このファンヒータ本体１の作動を制御するマイコンを主体として構成された制御装置３と、本体１背面開口部の対流用送風機４と、本体１前面の温風吹出口５と、本体１前面側上部の操作部６とを備えているもので、気化バーナ２での燃焼排気ガスを対流用送風機４により温風吹出口５から室内に吹き出すことで暖房を行うものである。
【００１３】
前記気化バーナ２は、複数の炎孔を有したバーナヘッド７の下部に加熱ヒーター８を有した気化部９を備えて構成され、加熱ヒーター８によって加熱された気化部９内に油受け皿１０から容積型の電磁ポンプ１１の駆動で送油ノズル１２を通じて液体燃料を供給し、この液体燃料が気化した気化ガスと燃焼用送風機１３から送風路１４を通じて供給される燃焼用空気との混合ガスを前記バーナヘッド７の炎孔で燃焼させ、また燃焼中は前記気化部９の上端に複数の炎孔に対向する如く備えた環状の熱回収リング１５によって炎から熱回収を行い加熱ヒーター８の通電を低減しているもので、ターンダウン比が広く静かな気化燃焼を行うものである。
【００１４】
前記操作部６には、運転の開始／停止を指令するための運転スイッチ１６と、室温上昇スイッチ１７と室温下降スイッチ１８とにより構成され所望の室温を設定する室温設定手段１９と、タイマースイッチや延長スイッチなどの各種の操作スイッチと、時刻や設定室温を表示する表示部２０が設けられている。
【００１５】
２１は前記加熱ヒーター８で加熱される気化部９の温度を検知する気化温度センサで、前記制御装置３はこの気化温度センサ２１の検知温度が所定の上限温度になると前記加熱ヒーター８をオフし、また所定の下限温度になると前記加熱ヒーター８をオンして気化部９の温度を液体燃料を良好に気化できる温度範囲内に保持する。
【００１６】
又前記制御装置３は、運転スイッチ１６の運転指令により、前記気化温度センサ２１の検知温度を監視して前記気化部９を液体燃料を気化可能な温度まで加熱ヒーター８により加熱し、気化部９の温度を燃焼に適する温度まで上昇させると前記電磁ポンプ１１及び燃焼用送風機１３を駆動開始し、点火装置２２により混合ガスに点火して燃焼を開始させて、本体１背面の対流用送風機４の近傍に設けられた室温センサ２３の検知室温と前記室温設定手段１９で設定された設定室温との偏差に応じて、前記電磁ポンプ１１及び燃焼用送風機１３を制御して燃焼火力を可変して前記室温設定手段１９で設定された室温になるように制御する。
【００１７】
２４は燃油切れによる自動消火後に燃油の補給意思を検知する意思検知手段で、ここでは給油タンク２５の底部に当接して閉成し、該給油タンク２５の抜き取りで開成する開閉スイッチで構成されるものであり、給油タンク２５からの燃油を一旦貯留する油受け皿１０内の燃油が所定量以下になったことを、フロートスイッチ２６が検知して燃焼を自動消火させるもので、意思検知手段２４はこの自動消火後に燃油を補給するために、給油タンク２５を本体１から抜き取ることにより、給油の意思を確認して制御装置３を通し加熱ヒーター８の通電を制御しての気化部９の予熱に入るものである。
【００１８】
２７は上記の予熱開始と同時にカウントを開始し、所定時間以内ここでは３０分以内に燃焼が開始されない場合には、予熱を停止させる安全タイマーで、意思検知手段２４が間違った意思を検知しても長時間予熱が継続して、無駄に電力を消費することを防止するものである。
【００１９】
次にこの一実施形態の作動について図５に示すフローチャートに従って説明すれば、今気化バーナ２で燃焼中に給油タンク２５が空の状態で、且つ油受け皿１０内の燃油量が燃焼に伴って減少し、フロートスイッチ２６が所定量以下を検知して（ステップ２８）、ステップ２９に進み気化バーナ２の燃焼が消火され、又は運転スイッチ１６の指示で運転が停止していることを条件にＹＥＳで、次のステップ３０に進みここで給油タンク２５が給油のために抜き取られたことを、意思検知手段２４が検知しＹＥＳでステップ３１に進み、安全タイマー２７のカウントを開始すると共に、加熱ヒーター８を通電させて気化部９の予熱を開始するものである。
【００２０】
更にステップ３２に進んで、運転スイッチ１６がＯＮされたかを判断し、ＹＥＳでステップ３３に進んで、先ず安全タイマー２７のカウントをリセットして停止すると共に、制御装置３による通常の燃焼開始制御で燃焼が開始されるものであるが、この燃焼開始までの時間は、意思検知手段２４によりすでに予熱が開始されているので短縮され、又は給油に手間取っていたとすれば、待つことなく直ぐに燃焼が開始されるものであり、無駄な時間がなく極めて使用勝手が良いものである。
【００２１】
一方ステップ３２でＮＯの場合は、ステップ３４に進んで安全タイマー２７が３０分のカウントを終了したかを判断し、ＹＥＳ即ち予熱開始してから３０分経過しても運転スイッチ１６がＯＮされず燃焼が開始されない場合は、ステップ３５に進んで気化部９の予熱を終了させて、無駄な電力消費の防止と安全性の向上を図るものである。
【００２２】
また、給油タンク２５を取り出すために開成するタンク室蓋３６の開成を検知するスイッチを意思検知手段２４としても良く、また、固定タンク方式のものでは、給油キャップの取り外しを検知するスイッチを意思検知手段２４としても良く、いずれも的確に給油の意思を検知出来るものである。
【図面の簡単な説明】
【００２３】
【図１】この発明の一実施例を付した気化式燃焼装置を示す斜視図。
【図２】同要部断面図。
【図３】同要部構成図。
【図４】同制御回路のブロック図。
【図５】同フローチャート
【符号の説明】
【００２４】
２  気化バーナ
３  制御装置
８  加熱ヒーター
９  気化部
２４  意思検知手段
【図１】
2008241222.tif 000003
【図２】
2008241222.tif 000004
【図３】
2008241222.tif 000005
【図４】
2008241222.tif 000006
【図５】
2008241222.tif 000007